(57)【要約】【課題】  着用者の姿勢を改善させるとともに快適で動きやすい補整用衣類を提供する。【解決手段】  サンプルＡの腹部強緊締部は、ガードルの腹部分の上方から下方に向けて斜めに傾いた第１の腹部強緊締部Ａ１ａと、この第１の腹部強緊締部Ａ１ａの傾きとは反対の方向に傾いた第２の腹部強緊締部Ａ１ｂとを重ねることで構成される。脇部強緊締部は、ガードルの脇部分の上方から下方に向けて斜めに傾いた第１の脇部強緊締部Ａ２ａと、この第１の脇部強緊締部Ａ２ａの傾きとは反対の方向に傾いた第２の脇部強緊締部Ａ２ｂとを重ねることで構成される。腰部強緊締部は、ガードルの腰部分の上方から下方に向けて斜めに傾いた第１の腰部強緊締部Ａ３ａと、この第１の腰部強緊締部Ａ３ａの傾きとは反対の方向に傾いた第２の腰部強緊締部Ａ３ｂとを重ねることで構成される。【選択図】  図７
2005281899.tif 000002
【特許請求の範囲】
【請求項１】
胴体下部への補整機能を有する補整用衣類において、
縦方向と横方向に伸縮性および復元性を有する布地で構成され、
ダミーに着用させたときに、当該ダミーの胴体下部にある腹部、腰部および脇部のそれぞれに対して加わる圧力が、前記腹部と前記腰部よりも前記脇部のほうが高くなることを特徴とする補整用衣類。
【請求項２】
前記脇部の腹寄り部分、前記脇部の腰寄り部分および前記脇部の中央部分のそれぞれに対して加わる圧力が、前記腹寄り部分と前記腰寄り部分よりも前記中央部分のほうが高くなることを特徴とする請求項１記載の補整用衣類。
【請求項３】
胴体下部への補整機能を有する補整用衣類において、
前記胴体下部にある腹部の脇寄り部分から腰部の脇寄り部分までの範囲で、緊締力の強い強緊締部分と緊締力の弱い弱緊締部分とが、横方向に２〜４周期繰り返され、かつ、縦方向に１〜２周期繰り返されるように布地が構成されることを特徴とする補整用衣類。
【請求項４】
前記強緊締部分は、帯状であって上方から下方に向けて斜めに傾いた第１の布地と、帯状であって前記第１の布地の傾きとは反対の方向に傾いた第２の布地とを重ねることで構成され、前記第１の布地および前記第２の布地は、縦方向と横方向に伸縮性および復元性を有することを特徴とする請求項３記載の補整用衣類。
【請求項５】
前記強緊締部分は、菱形状または紡錘形状その他これに近似した形状であって、前記強緊締部分の布地は、縦方向と横方向に伸縮性および復元性を有することを特徴とする請求項３記載の補整用衣類。
【請求項６】
股部を有するガードル、ボディテディ、ボディスーツ、スポーツウェアまたは水着であることを特徴とする請求項１〜５のいずれか１項に記載の補整用衣類。
【請求項７】
衣類全体の形状がベルト状であり、端部に係止具が設けられたサポータまたはウェストニッパーであることを特徴とする請求項１〜５のいずれか１項に記載の補整用衣類。
【請求項８】
衣類全体の形状が環状のベルト状であるウェストニッパー、腹巻きまたは肌着であることを特徴とする請求項１〜５のいずれか１項に記載の補整用衣類。
【請求項９】
前記緊締部は、当て布またはダーツにより形成されることを特徴とする請求項１〜５のいずれか１項に記載の補整用衣類。
【請求項１０】
前記緊締部と当該緊締部以外の部分は、経編みと丸編みにより切り替えて形成されることを特徴とする請求項１〜５のいずれか１項に記載の補整用衣類。
【発明の詳細な説明】
【技術分野】
【０００１】
本発明は、例えば補整用のガードルやウェストニッパー等を含む補整用衣類に関する。
【背景技術】
【０００２】
ガードルやウェストニッパー等に代表される補整用衣類は、美しいボディラインを創り出し、そのボディラインを維持することで体型を補整させることが要求されている。このような補整用衣類として、例えば、特許文献１には、肥満者の膨出した腹部を矯正するためのベルトが開示されている。
【特許文献１】特開２０００−１７５９４８号公報
【特許文献２】特開平１０−１５５８２５号公報
【発明の開示】
【発明が解決しようとする課題】
【０００３】
しかしながら、従来の補整用衣類は、腹部や腰部の全体に圧力をかけるものが多く、このような補整用衣類は、着用した時に腹部や腰部への締め付けがきつく、着用者に苦しさや動きにくさを与えていた。一方、補整用衣類に対する顧客のニーズは、単に体型を補整させるだけの商品にとどまらず、着用することにより姿勢をも良くする商品にあることがわかっている。すなわち、姿勢美（美しい姿勢）に対する消費者の関心は非常に高く、姿勢美をサポートする補整用衣類への顧客のニーズに応える必要がある。
【０００４】
そこで、本発明は、着用者の姿勢を改善させるとともに、快適で動きやすい補整用衣類を提供することを目的とする。
【課題を解決するための手段】
【０００５】
本願発明者は、上述した課題を解決するために、補整用衣類の様々なサンプルをダミーに着用させて、腹部、腰部および脇部のそれぞれに対して加わる圧力を測定するとともに、これらのサンプルをモニターに着用してもらい、モニターから着用感を聞き出した。この結果、一部のサンプルにおいて、着用者の姿勢を改善させるとともに、快適で動きやすいという顕著な効果が確認できた。
【０００６】
本発明の補整用衣類は、胴体下部への補整機能を有する補整用衣類であって、縦方向と横方向に伸縮性および復元性を有する布地で構成され、ダミーに着用させたときに、当該ダミーの胴体下部にある腹部、腰部および脇部のそれぞれに対して加わる圧力が、腹部と腰部よりも脇部のほうが高くなることを特徴とする。このような補整用衣類を着用すると、脇部に加わる圧力が腹部と腰部に加わる圧力よりも高くなるため、着用者の姿勢を改善させることができるとともに、快適で動きやすいという顕著な効果を奏することができる。
【０００７】
また、本発明の補整用衣類において、脇部の腹寄り部分、脇部の腰寄り部分および脇部の中央部分のそれぞれに対して加わる圧力が、腹寄り部分と腰寄り部分よりも中央部分のほうが高くなることが好ましい。このような補整用衣類を着用すると、脇部の中央部分に加わる圧力が脇部の腹寄り部分および腰寄り部分に加わる圧力よりも高くなるため、着用者の姿勢をより改善させることができるとともに、より快適で動きやすいという顕著な効果を奏することができる。
【０００８】
本発明の補整用衣類は、胴体下部への補整機能を有する補整用衣類であって、胴体下部にある腹部の脇寄り部分から腰部の脇寄り部分までの範囲で、緊締力の強い強緊締部分と緊締力の弱い弱緊締部分とが、横方向に２〜４周期繰り返され、かつ、縦方向に１〜２周期繰り返されるように布地が構成されることを特徴とする。これによれば、腹部と腰部に加わる圧力よりも脇部に加わる圧力のほうが高くなるとともに、脇部の腹寄り部分および腰寄り部分に加わる圧力よりも脇部の中央部分に加わる圧力のほうが高くなる補整用衣類を簡易に構成することができる。
【０００９】
本発明の補整用衣類において、強緊締部分は、帯状であって補整用衣類の上方から下方に向けて斜めに傾いた第１の布地と、帯状であって前記第１の布地の傾きとは反対の方向に傾いた第２の布地とを重ねることで構成され、第１の布地および第２の布地は、縦方向と横方向に伸縮性および復元性を有することが好ましい。
【発明の効果】
【００１０】
本発明に係る補整用衣類によれば、着用者の姿勢を改善させるとともに、快適で動きやすいという優れた効果が期待できる。
【発明を実施するための最良の形態】
【００１１】
実施形態の説明に先立ち、図１および図２を参照して、本願発明の背景となる姿勢美（美しい姿勢）について説明する。図１および図２は、人体の側面図である。
【００１２】
本願発明者は、姿勢美を実現するにあたって、まず、直立したときに胃の周辺が前に突き出てしまう姿勢に注目し、このような姿勢をとってしまう原因について考察した。そして、胃の周辺が前に突き出た姿勢をしているときには、図１に示すように、背骨下部１０が大きく前湾し、上体が後に反り返っていることが判明した。これにより、本願発明者は、背骨下部１０の前湾を減少させることができれば、胃の周辺をすっきりさせることができ、ひいては姿勢美を実現することができるのではないかと考えた。
【００１３】
ここで、美しい姿勢（例えば、胸を張って背筋を伸ばした姿勢）をするためには、お腹を引っ込めながら大きく息を吸い込むと効果的に実現できる。このように、お腹を引っ込めながら大きく息を吸い込むと、腹筋と背筋に力が入れやすくなる。そして、腹筋と背筋に力を入れ続けることによって美しい姿勢を維持することが可能になる。すなわち、腹筋と背筋に力を入れることによって、図２に示すように、腹筋の力Ｐ１と背筋の力Ｐ２により背骨下部１０の前湾が減少し、上体が起き上がって胃の周辺がすっきりし、ひいては姿勢美を実現することができる。
【００１４】
そこで、本願発明者は、腹筋と背筋に力を入れた状態をつくり出すことができれば、美しい姿勢が保ちやすくなり、姿勢美を実現することができるのではないかとの知見を得て、本発明を完成した。
【００１５】
以下、本発明の実施形態を図面に基づき説明する。なお、同一要素には同一符号を付し、重複する説明を省略する。
【００１６】
本願発明者は、上述した観点から種々の補整用衣類のサンプルを作成した。そして、これらのサンプルをダミーに着用させて所定の測定ポイント（部位）にかかる圧力を測定するとともに、これらのサンプルをモニターに着用してもらい、モニターから着用感を聞き出した。この結果、一部のサンプルにおいて、着用者の姿勢を改善させるとともに、快適で動きやすいという顕著な効果を奏することが判明した。以下において、圧力の測定に使用したダミー、圧力の測定ポイント、サンプル、モニターの着用感、顕著な効果を奏するサンプルについて順次説明する。
【００１７】
まず、図３を参照して、サンプルを着用させるダミー（ＦＲＰ製）の各部位の寸法について説明する。図３に示すダミーＭは、下半身（膝〜ウェスト上）のみのダミーである。図３に示すように、ダミーＭのウェストＸの寸法は、床高さが５５３[ｍｍ]、周経が６５０[ｍｍ]、横径が２３０[ｍｍ]、厚径が１６５[ｍｍ]である。ダミーＭのヒップＹの寸法は、床高さが３８５[ｍｍ]、周経が８９５[ｍｍ]、横径が３２０[ｍｍ]、厚径が２１５[ｍｍ]である。ダミーＭの脚の付根Ｚの寸法は、床高さが２８５[ｍｍ]、周経が５２０[ｍｍ]、横径が１５０[ｍｍ]、厚径が１７０[ｍｍ]である。
【００１８】
次に、図３ないし図５を参照して、圧力の測定ポイントａ〜ｈについて説明する。測定ポイントａ〜ｈとは、サンプルを着用させたダミーＭが当該サンプルから受ける圧力を測定する際のダミーＭ上の位置である。図３に示すように、測定ポイントａの位置は、ダミーＭの腹部の中央部分の上部にあり、床高さが５００[ｍｍ]、前面正中線より０[ｍｍ]、周経が７２５[ｍｍ]、横径が２４５[ｍｍ]、厚径が１９５[ｍｍ]である。なお、以下で説明する測定ポイントｃ〜ｇの周経、横径および厚径の値は、測定ポイントａの周経、横径および厚径と同じ値であるためその記載を省略する。
【００１９】
また、図３に示すように、測定ポイントｂの位置は、ダミーＭの腹部の中央部分の下部にあり、床高さが４２０[ｍｍ]、前面正中線より０[ｍｍ]、周経が８６０[ｍｍ]、横径が２１５[ｍｍ]、厚径が２１０[ｍｍ]である。図３に示すように、測定ポイントｃの位置は、ダミーＭの腹部の脇寄り部分にあり、床高さが５０５[ｍｍ]、前面正中線より６０[ｍｍ]である。図３および図４に示すように、測定ポイントｄの位置は、ダミーＭの脇部の腹寄り部分にあり、床高さが５２０[ｍｍ]、前面正中線より１２５[ｍｍ]である。図４に示すように、測定ポイントｅの位置は、ダミーＭの脇部の中央部分にあり、床高さが５３０[ｍｍ]、前面正中線より１９０[ｍｍ]である。図４および図５に示すように、測定ポイントｆの位置は、ダミーＭの脇部の腰寄り部分にあり、床高さが５２０[ｍｍ]、後面正中線より１００[ｍｍ]である。図５に示すように、測定ポイントｇの位置は、ダミーＭの腰部の脇寄り部分にあり、床高さが５１０[ｍｍ]、後面正中線より４０[ｍｍ]である。図５に示すように、測定ポイントｇの位置は、ダミーＭの腰部の中央部分の下部にあり、床高さが４７０[ｍｍ]、後面正中線より２５[ｍｍ]、周経が８０５[ｍｍ]、横径が２９５[ｍｍ]、厚径が１６５[ｍｍ]である。
【００２０】
次に、図６を参照して、上述した測定ポイントｃ，ｅ，ｇと人体との関係について説明する。図６の（ａ）は人体を背面から見た図であり、図６の（ｂ）は人体を側面から見た図であり、図６の（ｃ）は人体を正面から見た図である。測定ポイントｃは、腸棘（上前腸骨棘）１２から２〜３ｃｍ程上で腹直筋１４の外側縁付近に位置する。測定ポイントｅは、腸骨陵１６のすぐ上で体に対して真脇に位置する。測定ポイントｇは、腸骨陵１６の高さで脊柱起立筋１８外縁付近（第４腰椎あたりの高さ）に位置する。
【００２１】
次に、図７ないし図１２を参照して、補整用衣類のサンプルＡ〜Ｆについて説明する。図７〜図１２の各（ａ）はサンプルＡ〜Ｆを斜め前から見た図であり、図７〜図１２の各（ｂ）はサンプルＡ〜Ｆを斜め後から見た図である。各図７〜図１２の各サンプルＡ〜Ｆ上には、上述した測定ポイントａ〜ｈが示されている。各サンプルＡ〜Ｆは、縦方向と横方向に伸縮性および復元性を有する布地で構成されており、サンプルの本体部は弱緊締部により構成され、サンプルの所定の部位には強緊締部が形成されている。なお、強緊締部の緊締力のほうが弱緊締部の緊締力よりも強くなるように構成されている。
【００２２】
図７（ａ），（ｂ）に示すサンプルＡは、ガードルである。このガードルは、腹部分に形成される帯状の腹部強緊締部Ａ１ａ，Ａ１ｂと、脇部分に形成される帯状の脇部強緊締部Ａ２ａ，Ａ２ｂと、腰部分に形成される帯状の腰部強緊締部Ａ３ａ，Ａ３ｂとを有する。なお、脇部強緊締部Ａ２ａ，Ａ２ｂおよび腰部強緊締部Ａ３ａ，Ａ３ｂは、左右の脇部分および腰部分においてそれぞれ対象となる位置に形成される。
【００２３】
サンプルＡの腹部強緊締部Ａ１ａ，Ａ１ｂは、ガードルの腹部分の上方から下方に向けて斜めに傾いた（右下り）第１の腹部強緊締部Ａ１ａと、この第１の腹部強緊締部Ａ１ａの傾きとは反対の方向に傾いた（左下り）第２の腹部強緊締部Ａ１ｂとを重ねることで構成される。
【００２４】
このように、腹部強緊締部Ａ１を設けることにより、着用時には、第１の腹部強緊締部Ａ１ａと第２の腹部強緊締部Ａ１ｂとが重なる部分の緊締力を増強させることができる。したがって、お腹を引っ込めながら大きく息を吸い込んだときのように、腹筋の働きを効率よくサポートすることができる。
【００２５】
脇部強緊締部Ａ２ａ，Ａ２ｂは、ガードルの脇部分の上方から下方に向けて斜めに傾いた（右下り）第１の脇部強緊締部Ａ２ａと、この第１の脇部強緊締部Ａ２ａの傾きとは反対の方向に傾いた（左下り）第２の脇部強緊締部Ａ２ｂとを重ねることで構成される。腰部強緊締部Ａ３ａ，Ａ３ｂは、ガードルの腰部分の上方から下方に向けて斜めに傾いた（右下り）第１の腰部強緊締部Ａ３ａと、この第１の腰部強緊締部Ａ３ａの傾きとは反対の方向に傾いた（左下り）第２の腰部強緊締部Ａ３ｂとを重ねることで構成される。
【００２６】
このように、脇部強緊締部Ａ２と腰部強緊締部Ａ３とを設けることにより、着用時には、第１の脇部強緊締部Ａ２ａと第２の脇部強緊締部Ａ２ｂとが重なる部分、および第１の腰部強緊締部Ａ３ａと第２の腰部強緊締部Ａ３ｂとが重なる部分において、局所的に強い圧力をかけることができるため、脇部や腰部において効率的に圧力をかけることができる。また、各強緊締部（腹部強緊締部Ａ１、脇部強緊締部Ａ２、腰部強緊締部Ａ３）によって部分的に圧力をかけるとともに、各強緊締部間に弱緊締部を設けることにより、圧迫感を減少させることができる。
【００２７】
図７（ａ）に示すように、第１の腹部強緊締部Ａ１ａと第２の腹部強緊締部Ａ１ｂとが重なる部分には、測定ポイントａ〜ｃが位置する。腹部強緊締部Ａ１ａ，Ａ１ｂと脇部強緊締部Ａ２ａ，Ａ２ｂとの間を構成する弱緊締部には、測定ポイントｄが位置する。
【００２８】
図７（ｂ）に示すように、第１の脇部強緊締部Ａ２ａと第２の脇部強緊締部Ａ２ｂとが重なる部分には、測定ポイントｅが位置する。脇部強緊締部Ａ２ａ，Ａ２ｂと腰部強緊締部Ａ３ａ，Ａ３ｂとの間を構成する弱緊締部には、測定ポイントｆが位置する。第１の腰部強緊締部Ａ３ａと第２の腰部強緊締部Ａ３ｂとが重なる部分には、測定ポイントｇが位置する。第２の腰部強緊締部Ａ３ｂには、測定ポイントｈが位置する。
【００２９】
図７（ａ），（ｂ）に示すように、サンプルＡであるガードルの布地は、胴体下部にある腹部の脇寄り部分（測定ポイントｃ）から腰部の脇寄り部分（測定ポイントｇ）までの範囲において、緊締力の強い強緊締部分Ａ１〜Ａ３と緊締力の弱い弱緊締部分とが、横方向に３〜４周期繰り返され、かつ、縦方向に１〜２周期繰り返されるように構成される。
【００３０】
すなわち、横方向の周期に関しては、第１の腹部強緊締部Ａ１ａと第２の腹部強緊締部Ａ１ｂとが重なる部分と、第１の脇部強緊締部Ａ２ａと第２の脇部強緊締部Ａ２ｂとが重なる部分と、第１の腰部強緊締部Ａ３ａと第２の腰部強緊締部Ａ３ｂとが重なる部分とを結ぶ横方向のライン上において、横方向に３周期繰り返され、当該横方向のライン上以外では横方向に４周期繰り返される。
【００３１】
一方、縦方向の周期に関しては、第１の腹部強緊締部Ａ１ａと第２の腹部強緊締部Ａ１ｂとが重なる部分を含む縦方向のライン上、第１の脇部強緊締部Ａ２ａと第２の脇部強緊締部Ａ２ｂとが重なる部分を含む縦方向のライン上、および第１の腰部強緊締部Ａ３ａと第２の腰部強緊締部Ａ３ｂとが重なる部分を含む縦方向のライン上において、縦方向に１周期繰り返され、上記各縦方向のライン上以外では縦方向に２周期繰り返される。
【００３２】
図８（ａ），（ｂ）に示すサンプルＢは、ガードルである。このガードルは、腹部分に形成される腹部強緊締部Ｂ１と、腹部の脇寄り部分から脇部の中央部分にかけて形成される前脇部強緊締部Ｂ２と、脇部の中央部分から腰部の脇寄り部分に形成される後脇部強緊締部Ｂ３と、腰部に形成される腰部強緊締部Ｂ４とを有する。なお、前脇部強緊締部Ｂ２および後脇部強緊締部Ｂ３は、左右の脇部分においてそれぞれ対象となる位置に形成される。
【００３３】
各強緊締部Ｂ１〜Ｂ３は、ガードルの上下方向を長手方向とする菱形状または紡錘形状その他これに近似した形状により形成される。これにより、各強緊締部Ｂ１〜Ｂ３を衣類の横方向に連ねて形成しても各強緊締部間に隙間を設けることができるため、部分的に圧力をかけることができるようになるとともに、圧迫感を減少させることができる。
【００３４】
また、腹部強緊締部Ｂ１と腰部強緊締部Ｂ４とを設けることにより、着用時には、腹部と腰部すなわち胴部の前後から強い圧力をかけることができる。したがって、お腹を引っ込めながら大きく息を吸い込んだときのように、腹筋および背筋の働きを効率よくサポートすることができる。
【００３５】
図８（ａ）に示すように、腹部強緊締部Ｂ１には、測定ポイントａおよびｂが位置する。腹部強緊締部Ｂ１の尖端部と前脇部強緊締部Ｂ２の尖端部との間には、測定ポイントｃが位置する。前脇部強緊締部Ｂ２には、測定ポイントｄが位置する。
【００３６】
図８（ｂ）に示すように、前脇部強緊締部Ｂ２の尖端部と後脇部強緊締部Ｂ３の尖端部との間には、測定ポイントｅが位置する。後脇部強緊締部Ｂ３には、測定ポイントｆが位置する。後脇部強緊締部Ｂ３の尖端部と腰部強緊締部Ｂ４の尖端部との間には、測定ポイントｇが位置する。後脇部強緊締部Ｂ３と腰部強緊締部Ｂ４との間を構成する弱緊締部には、測定ポイントｈが位置する。
【００３７】
このように、測定ポイントｃ，ｅ，ｇが、各強緊締部の尖端部間に位置するように各強緊締部を形成することによって、測定ポイントｃ，ｅ，ｇにかかる圧力の強度を保ちながら、衣類全体としての圧迫感を減少させることができる。
【００３８】
図８（ａ），（ｂ）に示すように、サンプルＢであるガードルの布地は、胴体下部にある腹部の脇寄り部分（測定ポイントｃ）から腰部の脇寄り部分（測定ポイントｇ）までの範囲において、緊締力の強い強緊締部分Ｂ１，Ｂ２と緊締力の弱い弱緊締部分とが、横方向に２周期繰り返され、かつ、縦方向に１周期繰り返されるように構成される。
【００３９】
図９（ａ），（ｂ）に示すサンプルＣは、ガードルである。このガードルは、腹部分に形成される腹部強緊締部Ｃ１を有する。図９（ａ）に示すように、腹部強緊締部Ｃ１には、測定ポイントａ〜ｃが位置する。図９（ｂ）に示すように、ガードルの前脇部分から腰部分までを構成する弱緊締部には、測定ポイントｄ〜ｈが位置する。
【００４０】
図１０（ａ），（ｂ）に示すサンプルＤは、ガードルである。このガードルは、腹部の脇寄り部分に帯状に形成される腹部強緊締部Ｄ１と、脇部の中央部分に帯状に形成される脇部強緊締部Ｄ２と、腰部の脇寄り部分に帯状に形成される腰部強緊締部Ｄ３とを有する。腹部強緊締部Ｄ１は、ガードルの腹部の脇寄り部分の上方から下方に向けて上下方向に形成される。脇部強緊締部Ｄ２は、ガードルの脇部の中央部分の上方から下方に向けて上下方向に形成される。腰部強緊締部Ｄ３は、ガードルの腰部の脇寄り部分の上方から下方に向けて上下方向に形成される。なお、腹部強緊締部Ｄ１、脇部強緊締部Ｄ２および腰部強緊締部Ｄ３は、左右の腹部、脇部および腰部においてそれぞれ対象となる位置に形成される。
【００４１】
図１０（ａ）に示すように、ガードルの腹部の中央部分を構成する弱緊締部には、測定ポイントａおよびｂが位置する。腹部強緊締部Ｄ１には、測定ポイントｃが位置する。腹部強緊締部Ｄ１と脇部強緊締部Ｄ２との間を構成する弱緊締部には、測定ポイントｄが位置する。
【００４２】
図１０（ｂ）に示すように、脇部強緊締部Ｄ２には、測定ポイントｅが位置する。脇部強緊締部Ｄ２と腰部強緊締部Ｄ３との間を構成する弱緊締部には、測定ポイントｆが位置する。腰部強緊締部Ｄ３には、測定ポイントｇが位置する。腰部強緊締部Ｄ３と後中心との間を構成する弱緊締部には、測定ポイントｈが位置する。
【００４３】
図１１（ａ），（ｂ）に示すサンプルＥは、ガードルである。このガードルは、腹部分に形成される腹部強緊締部Ｅ１と、腹部の脇寄り部分から後中心にかけて帯状に形成される帯状強緊締部Ｅ２とを有する。なお、帯状強緊締部Ｅ２は、左右の腹部の脇寄り部分から腰部分にかけてそれぞれ対象となる位置に形成される。
【００４４】
図１１（ａ）に示すように、腹部強緊締部Ｅ１には、測定ポイントａ〜ｃが位置する。図１１（ｂ）に示すように、帯状強緊締部Ｅ２には、測定ポイントｄ〜ｈが位置する。
【００４５】
図１２（ａ），（ｂ）に示すサンプルＦは、ベルト状に形成されたサポータである。このサポータは、腹部分から前脇部分にかけて形成される腹部強緊締部Ｆ１と、脇部分に形成される帯状の脇部強緊締部Ｆ２ａ，Ｆ２ｂと、腰部分に形成される腰部強緊締部Ｆ３とを有する。また、サポータの腹部分と脇部分との間付近には、ボーンＦ４が形成され、サポータの腰部分と脇部分との間付近には、ボーンＦ５が形成される。なお、脇部強緊締部Ｆ２ａ，Ｆ２ｂ、腰部強緊締部Ｆ３、ボーンＦ４およびボーンＦ５は、左右の脇部分および腰部分においてそれぞれ対象となる位置に形成される。また、サポータの端部には、図示しないホック（係止具）が設けられ、サポータの両端部は、着用時に後中心付近で係止される。
【００４６】
脇部強緊締部Ｆ２ａ，Ｆ２ｂは、サポータの脇部分の上方から下方にかけて斜めに傾いた（右下り）第１の脇部強緊締部Ｆ２ａと、この第１の脇部強緊締部Ｆ２ａの傾きとは反対の方向に傾いた（左下り）第２の脇部強緊締部Ｆ２ｂとを重ねることで構成される。
【００４７】
図１２（ａ）に示すように、サポータの前中心付近を構成する弱緊締部には、測定ポイントａが位置する。腹部強緊締部Ｆ１には、測定ポイントｂおよびｃが位置する。
【００４８】
図１２（ｂ）に示すように、腹部強緊締部Ｆ１と脇部強緊締部Ｆ２ａ，Ｆ２ｂとの間を構成する弱緊締部には、測定ポイントｄが位置する。第１の脇部強緊締部Ｆ２ａと第２の脇部強緊締部Ｆ２ｂとが重なる部分には、測定ポイントｅが位置する。脇部強緊締部Ｆ２ａ，Ｆ２ｂとボーンＦ５との間を構成する弱緊締部には、測定ポイントｆが位置する。ボーンＦ５部分には、測定ポイントｇが位置する。腰部強緊締部Ｆ３には、測定ポイントｈが位置する。
【００４９】
なお、上述した各サンプルＡ〜Ｆの強緊締部は、当て布を用いて形成してもよいし、ダーツを用いて形成してもよい。また、強緊締部と弱緊締部は、経編みと丸編み（横編み）によるパワー切り替えによって切り替えてもよい。また、強緊締部分に対応する布地に対してボーンまたはポリウレタン樹脂を付与することによって、当該布地に強い緊締力を付与させることとしてもよい。ここで、図７に示すサンプルＡの各強緊締部Ａ１〜Ａ３は、当て布を用いて形成することがより好ましく、図８に示すサンプルＢの各強緊締部Ｂ１〜Ｂ４は、ダーツを用いて形成することがより好ましい。
【００５０】
次に、図１３を参照して、各サンプルＡ〜Ｆを着用したモニターから聞き出した着用感について説明する。図１３は、各サンプルＡ〜Ｆを着用したモニターに対して、“胃の引っ込み感”“姿勢改善感” “きつくない” “１日中着けていられる”“動きやすい” “総合快適” “姿勢改善効果”の各着用感について質問し、良いか悪いかで回答してもらい、良いと回答した人の割合を示したものである。６割以上のモニターが良いと回答した欄にはハッチングを施した。図１３に示すように、サンプルＢは全ての着用感で６割以上のモニターが良いと回答しており、サンプルＡは“胃の引っ込み感”を除く他の全ての着用感で６割以上のモニターが良いと回答している。今回は、特に、“姿勢改善感”“動きやすい” “総合快適” “姿勢改善効果”の４つの着用感に着目し、これら各着用感の全てにおいて６割以上のモニターが良いと回答したサンプルＡおよびＢについてその特徴を調べることとした。
【００５１】
図１４ないし図１６を参照して、サンプルＡおよびＢにおける特徴について説明する。図１４は、各サンプルＡ〜Ｆにおいて測定ポイントａ〜ｈごとに測定された圧力値を示すものである。図１５は、図１４に示すサンプルＡおよびＢにおける測定ポイントａ〜ｈごとの圧力値をグラフ化したものであり、図１６は、図１４に示すサンプルＣ〜Ｆにおける測定ポイントａ〜ｈごとの圧力値をグラフ化したものである。
【００５２】
なお、各測定ポイントａ〜ｈの圧力値を測定する際に用いた測定器は、株式会社エイエムアイ社製の接触圧測定器（エアーパック式）であり、各仕様は、卓上タイプ：ＡＭＩ３０３７−２０、センサー部：直径２０[ｍｍ]、最大測定値：約１５０００[Ｐａ]、ガイドチューブ：１．５[ｍ]である。
【００５３】
図１５に示すグラフと図１６に示すグラフとを比較することにより、サンプルＡおよびＢは、以下に説明する２つの特徴を有することがわかる。(1)腹部（測定ポイントａ，ｂ，ｃ）、脇部（測定ポイントｄ，ｅ，ｆ）、腰部（測定ポイントｇ，ｈ）のそれぞれに対して加わる圧力を比較すると、腹部と腰部に加わる圧力よりも脇部に加わる圧力のほうが高い。(2)脇部に加わる圧力の中でも、腹寄り部分（測定ポイントｄ）、中央部分（測定ポイントｅ）、腰寄り部分（測定ポイントｆ）のそれぞれに対して加わる圧力を比較すると、腹寄り部分と腰寄り部分に加わる圧力よりも中央部分に加わる圧力のほうが高い。
【００５４】
次に、図１７は、図１４に示す各圧力値に基づいて、各サンプルＡ〜Ｆの測定ポイントｅに加わる圧力と、測定ポイントｄおよびｆに加わる圧力の平均圧力との差分（圧力差：下記式１参照）を求めてグラフ化したものである。
【００５５】
圧力差 ＝ 測定ポイントｅの圧力 − （測定ポイントｄの圧力＋ 測定ポイントｆの圧力）／２  ・・・  （式１）
【００５６】
図１７に示すように、サンプルＡの圧力差は１１８８．３[Ｐａ]であり、サンプルＢの圧力差は１８７４．８[Ｐａ]である。また、サンプルＣの圧力差は２９．４[Ｐａ]であり、サンプルＤの圧力差は−３９．２[Ｐａ]であり、サンプルＥの圧力差は−１９６．１[Ｐａ]であり、サンプルＦの圧力差は−１１４７．４[Ｐａ]である。これらの圧力差を考慮すると、脇部の中央部分にかかる圧力を脇部の腹寄り部分および腰寄り部分にかかる圧力よりも高くし、中央部と腹寄り部分および腰寄り部分との間の圧力差を大きくする、すなわち脇部における圧力にメリハリをつけることによって、“姿勢改善感”“動きやすい” “総合快適” “姿勢改善効果”の各着用感に対する効果が高まることがわかる。
【００５７】
なお、上述した実施形態においては、補整用衣類であるサンプルＡおよびＢについて、ガードルを用いて説明しているが、本発明は、ガードル以外にも適用可能である。例えば、ボディテディ、ボディスーツ、男性用・女性用スポーツウェアまたは水着等の補整用衣類にも適用可能である。また、例えば、ベルト状で端部にホック等の係止具が設けられたサポータまたはウェストニッパー等の補整用衣類にも適用可能である。さらに、例えば、環状のベルト状であるウェストニッパー、腹巻きまたは肌着等の補整用衣類にも適用可能である。
【００５８】
本発明は、補整用衣類において、脇部の圧力にメリハリをつけるという点を基本構成としている。これにより、着用者の姿勢を改善させるとともに、快適さや動きやすさを体感させることが可能となる。かかる構成であれば、上記の実施形態や変形例に限らず、種々の態様が可能である。例えば、強緊締部の形状は、上述した実施形態における形状に限らず、他の形状であってもよい。
【図面の簡単な説明】
【００５９】
【図１】人体の側面図である。
【図２】人体の側面図である。
【図３】ダミーの正面図である。
【図４】ダミーの側面図である。
【図５】ダミーの背面図である。
【図６】測定ポイントと人体との関係について説明する図である。（ａ）は人体の背面図であり、（ｂ）は人体の側面図であり、（ｃ）は人体の正面図である。
【図７】本実施形態におけるガードルを示す図である。（ａ）はガードルを斜め前から見た図であり、（ｂ）はガードルを斜め後から見た図である。
【図８】本実施形態におけるガードルを示す図である。（ａ）はガードルを斜め前から見た図であり、（ｂ）はガードルを斜め後から見た図である。
【図９】本実施形態におけるガードルを示す図である。（ａ）はガードルを斜め前から見た図であり、（ｂ）はガードルを斜め後から見た図である。
【図１０】本実施形態におけるガードルを示す図である。（ａ）はガードルを斜め前から見た図であり、（ｂ）はガードルを斜め後から見た図である。
【図１１】本実施形態におけるガードルを示す図である。（ａ）はガードルを斜め前から見た図であり、（ｂ）はガードルを斜め後から見た図である。
【図１２】本実施形態におけるサポータを示す図である。（ａ）はサポータを斜め前から見た図であり、（ｂ）はサポータを斜め後から見た図である。
【図１３】モニターから聞き出した着用感について説明するための図である。
【図１４】各サンプルにおいて測定ポイントごとに測定された圧力値を示す図である。
【図１５】サンプルＡおよびＢにおける測定ポイントごとの圧力値をグラフ化した図である。
【図１６】サンプルＣ〜Ｆにおける測定ポイントごとの圧力値をグラフ化した図である。
【図１７】各サンプルにおける圧力差をグラフ化した図である。
【符号の説明】
【００６０】
１０・・・背骨下部、１２・・・腸棘、１４・・・腹直筋、１６・・・腸骨陵、１８・・・脊柱起立筋、Ａ１ａ，Ａ１ｂ・・・腹部強緊締部、Ａ２ａ，Ａ２ｂ・・・脇部強緊締部、Ａ３ａ，Ａ３ｂ・・・腰部強緊締部、Ｂ１・・・腹部強緊締部、Ｂ２・・・前脇部強緊締部、Ｂ３・・・後脇部強緊締部、Ｂ４・・・腰部強緊締部。
【図１】
2005281899.tif 000003
【図２】
2005281899.tif 000004
【図３】
2005281899.tif 000005
【図４】
2005281899.tif 000006
【図５】
2005281899.tif 000007
【図６】
2005281899.tif 000008
【図７】
2005281899.tif 000009
【図８】
2005281899.tif 000010
【図９】
2005281899.tif 000011
【図１０】
2005281899.tif 000012
【図１１】
2005281899.tif 000013
【図１２】
2005281899.tif 000014
【図１３】
2005281899.tif 000015
【図１４】
2005281899.tif 000016
【図１５】
2005281899.tif 000017
【図１６】
2005281899.tif 000018
【図１７】
2005281899.tif 000019